(57)【要約】【課題】複数の発光装置を面に沿って配置することを容易にするとともに、複数の発光装置をほぼ隙間なく配置しても各発光装置に電力を供給することを容易にする電力供給装置を提供する。【解決手段】電源レール２００（電力供給装置）は、棒状の絶縁部材によって構成されている。この絶縁部材の表面には、溝２１２，２１４，２１６が形成されている。溝２１２，２１４，２１６の内両側面には、導電部材２２２，２２４，２２６がそれぞれ設けられている。発光モジュールユニット１００（発光装置）は、電源端子１６２、接地端子１６４、及び信号端子１６６を有している。電源端子１６２、接地端子１６４、及び信号端子１６６は、導電部材２２２，２２４，２２６にそれぞれ挟まれる。これにより、導電部材２２２，２２４，２２６は、電源端子１６２、接地端子１６４、及び信号端子１６６とそれぞれ電気的に接続することができるとともに、これらの端子を保持することができる。【選択図】図４
2015173084.tif 000002
【特許請求の範囲】
【請求項１】
発光装置に電力を供給する電力供給装置であって、
第１方向に延在する絶縁部材と、
前記絶縁部材に設けられ、前記第１方向に延在する複数の導電部と、
を備え、
前記導電部は、
前記発光装置と電気的に接続し、
前記発光装置を物理的に保持する電力供給装置。
【請求項２】
請求項１に記載の電力供給装置において、
前記絶縁部材は、互いに対向する第１縁部及び第２縁部を含む第１面を有し、
前記複数の導電部は、
前記第１縁部から前記第２縁部に向かう第２方向に沿って並べられており、
前記第１縁部に最も近い前記導電部である第１導電部と、前記第２縁部に最も近い前記導電部である第２導電部とを含んでおり、
前記第１面は、前記第２方向に沿った一直線上において前記第１導電部と前記第１縁部の間の距離と前記第２導電部と前記第２縁部の間の距離とが異なる領域を含んでいる電力供給装置。
【請求項３】
請求項１に記載の電力供給装置において、
前記複数の導電部が、互いに隣接する前記導電部である第１導電部、第２導電部、及び第３導電部を、前記第１方向に交わる第２方向に沿ってこの順に並べた状態で含んでおり、
前記第２導電部と前記第１導電部の間の距離と、前記第２導電部と前記第３導電部の間の距離とが異なる電力供給装置。
【請求項４】
請求項１〜３のいずれか一項に記載の電力供給装置において、
他の電力供給装置と電気的に接続する接続部をさらに備える電力供給装置。
【発明の詳細な説明】
【技術分野】
【０００１】
本発明は、電力供給装置に関する。
【背景技術】
【０００２】
有機ＥＬ（Ｏｒｇａｎｉｃ  Ｅｌｅｃｔｒｏ−Ｌｕｍｉｎｅｓｃｅｎｃｅ）素子又はＬＥＤ（Ｌｉｇｈｔ−Ｅｍｉｔｔｉｎｇ  Ｄｉｏｄｅ）に例示される光源を搭載した発光モジュールユニットが現在開発されている。このような発光モジュールユニットは、しばしば照明器具として用いられる。この場合、発光モジュールユニットを搭載するとともに、当該モジュールユニットを壁面（例えば、天井）に保持するための保持部材が必要となる。そこで現在、発光モジュールユニットとともに、このような保持部材も開発されている。
【０００３】
例えば、特許文献１では、保持部材は長尺状の形状を有しており、保持部材の表面には、第１凹部が形成されている。この第１凹部の側面には、保持部材の長手方向に沿って第２凹部がさらに形成されている。この第２凹部には、発光モジュールユニットに形成される凸部が差し込まれる。このようにして、発光モジュールユニットが保持部材に保持される。
【０００４】
さらに特許文献１では、第１凹部の底面には、保持部材の長手方向に沿って延在した導電部材が設けられている。さらに第１凹部の底面には、２つの凸部が形成されている。これら２つの凸部は、上記の導電部材を挟んで、保持部材の長手方向に沿って延在している。そしてこれら２つの凸部の間には、発光モジュールユニットに形成される端子が挟まれる。さらにこの状態において、発光モジュールユニットの端子は、上記した導電部材と接触する。このようにして発光モジュールユニットと保持部材の間において、電力及び信号の伝達が行われることになる。
【先行技術文献】
【特許文献】
【０００５】
【特許文献１】特開２０１２−２５２９８２号公報
【発明の概要】
【発明が解決しようとする課題】
【０００６】
発光モジュールユニットに例示される発光装置に電力を供給する電力供給装置が現在種々開発されている。本発明者は、複数の発光装置をほぼ隙間なく配置することを容易にするとともに、複数の発光装置をほぼ隙間なく配置しても各発光装置に電力を供給することを容易にする電力供給装置を検討した。
【０００７】
本発明が解決しようとする課題としては、複数の発光装置をほぼ隙間なく配置することを容易にするとともに、複数の発光装置をほぼ隙間なく配置しても各発光装置に電力を供給することを容易にする電力供給装置の提供が一例として挙げられる。
【課題を解決するための手段】
【０００８】
請求項１に記載の発明は、
発光装置に電力を供給する電力供給装置であって、
第１方向に延在する絶縁部材と、
前記絶縁部材に設けられ、前記第１方向に延在する複数の導電部と、
を備え、
前記導電部は、
前記発光装置と電気的に接続し、
前記発光装置を物理的に保持する電力供給装置である。
【図面の簡単な説明】
【０００９】
【図１】実施形態に係る発光装置の構成を示す図である。
【図２】図１に示した発光モジュールユニットの反対側の面を示す図である。
【図３】図１に示した電源レールを拡大した図である。
【図４】図３のＡ−Ａ断面図の一例である。
【図５】実施例１に係る電源レールの構成を示す図である。
【図６】実施例２に係る電源レールの構成を示す図である。
【図７】（ａ）は、実施例３に係る電源レールの構成を示す図であり、（ｂ）は、（ａ）に示す２つの電源レールの接続部分の拡大図である。
【図８】（ａ）は、実施例４に係る電源レールの構成を示す図であり、（ｂ）は、（ａ）に示す２つの電源レールの接続部分の拡大図である。
【図９】実施例５に係る電源レールの構成を示す図である。
【図１０】実施例６に係る発光装置の構成を示す図である。
【図１１】実施例７に係る電源レールの構成を示す図である
【図１２】実施例７に係る発光モジュールユニットの構成を示す図である。
【図１３】参考例に係る電源レールを示す図である。
【図１４】参考例において発光モジュールユニットを電源レールに装着する方法を説明するための図である。
【図１５】図１４に示した溝の近傍の領域の拡大図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る発光装置１０の構成を示す図である。発光装置１０は、発光モジュールユニット１００（発光装置）、電源レール２００（電力供給装置）、電源３００、及び配線４００を含んでいる。
【００１２】
発光モジュールユニット１００は、板状の基材１１０及び光源１４０を有している。基材１１０は、その厚さ方向に互いに対向する面１２０，１３０を有している。本図に示す例では、面１２０，１３０の形状は矩形である。ただし、面１２０，１３０の形状は矩形に限定されるものではなく、他の形状であってもよい。なお、基材１１０は、例えば、樹脂により形成されている。
【００１３】
基材１１０の面１２０には、複数の光源１４０が互いに離間してマトリクス状に配置されている。ただし、面１２０に配置される光源１４０の数は複数に限定されるものではなく、１つのみであってもよい。本図に示す例では、各光源１４０は、１又は複数の有機ＥＬ素子を含む面光源である。各光源１４０の裏面には、有機ＥＬ素子の駆動回路を有する回路基板（不図示）が設けられている。なお、光源１４０は面光源に限定されるものではなく、点光源であってもよい。さらに光源１４０に含まれる素子は、有機ＥＬ素子に限定されるものではなく、ＬＥＤであってもよい。また上記の駆動回路は、発光モジュールユニット１００の外部に用意してもよい。
【００１４】
基材１１０の面１３０には、溝１３２が形成されている。溝１３２は、基材１１０の面１３０を横断しており、溝１３２の両端は、基材１１０の側面を貫通している。本図に示す例では、溝１３２は、矩形の面１３０のおおよそ中心を通過しつつ、この矩形の辺に沿って延在している。溝１３２は、電源レール２００を覆う形状を有している。これにより、発光モジュールユニット１００を電源レール２００に装着する場合、溝１３２が電源レール２００を覆うことができる。
【００１５】
電源レール２００は、棒状の形状を有しており、その長手方向に垂直な断面において矩形となっている。本図に示す例では、電源レール２００の長手方向の長さが、溝１３２の長さ方向における発光モジュールユニット１００の幅よりも長い。ただし、電源レール２００の長手方向の長さは、溝１３２の長さ方向における発光モジュールユニット１００の幅とほぼ等しくてもよい。一方、電源レール２００の短手方向の幅は、基材１１０の溝１３２の幅とほぼ等しい。
【００１６】
発光モジュールユニット１００は、溝１３２が電源レール２００を覆った状態で電源レール２００に搭載される。本図に示す例では、電源レール２００には、同一形状の複数の発光モジュールユニット１００が搭載されている。そしてこのような発光モジュールユニット１００が、電源レール２００の長手方向に沿って、ほぼ等間隔にほぼ隙間なく繰り返し設けられている。ただし、電源レール２００に設けられる発光モジュールユニット１００の数は複数に限定されるものではなく、１つのみであってもよい。
【００１７】
発光装置１０では、１つの電源レール２００と、この電源レール２００に上記のように設けられた１又は複数の発光モジュールユニット１００によって１つのセットが構成されている。発光装置１０は、このセットを複数含んでいる。そして複数のこのセットは、電源レール２００の短手方向に沿ってほぼ等間隔に繰り返し設けられている。この場合において、複数の発光モジュールユニット１００は、電源レール２００の短手方向に沿ってほぼ同一直線上にほぼ隙間なく並んでいる。このようにして、複数の発光モジュールユニット１００がマトリクス状に配置される。ただし、発光装置１０に含まれるセットの数は複数に限定されるものではなく、１つのみであってもよい。
【００１８】
本図に示す例では、互いに隣接する発光モジュールユニット１００において、光源１４０が設けられている面（面１２０）が段差を介さず滑らかに（例えば、面一に）繋がっている。すなわち、複数の発光モジュールユニット１００の面１２０が、各面１２０よりも大きな１つの面を構成している。
【００１９】
各発光モジュールユニット１００における複数の光源１４０は、電源レール２００の長手方向及び短手方向に沿ってほぼ等間隔に配置されている。そしてこの間隔は、電源レール２００の長手方向及び短手方向に沿って互いに隣接する発光モジュールユニット１００の境界を介して互いに対向する光源１４０の間においても保たれている。このようにして１つの発光モジュールユニット１００における複数の光源１４０の配列の周期性が、複数の発光モジュールユニット１００の間においても成り立っている。
【００２０】
電源レール２００は、配線４００を介して電源３００に電気的に接続している。本図に示す例では、複数の電源レール２００が１つの電源３００に対して電気的に並列に接続している。ただし、複数の電源レール２００それぞれに別個の電源３００を設けてもよい。
【００２１】
図２は、図１に示した発光モジュールユニット１００の反対側の面（面１３０）を示す図である。上記したように、基材１１０の面１３０には、溝１３２が形成されている。溝１３２は、基材１１０の面１３０を横断しており、溝１３２の両端は、基材１１０の側面を貫通している。本図に示す例では、溝１３２は、溝１３２が面１３０を横断する方向に長手方向を有している。ただし、溝１３２は、この方向に交わる方向に長手方向を有していてもよい。
【００２２】
溝１３２の底面には、溝１３２の長さ方向のおおよそ中央において、端子１６０が設けられている。ただし、端子１６０は、溝１３２の底面ではなく、溝１３２の側面に設けてもよい。端子１６０は、配線（不図示）を介して、複数の光源１４０（図１）と電気的に接続している。すなわち、本図に示す例では、複数の光源１４０に対して、１つの端子１６０が設けられている。
【００２３】
端子１６０は、並列に配置された電源端子１６２、接地端子１６４、及び信号端子１６６を含んでいる。これらの端子は、板状（本図に示す例では、矩形の板状）の形状を有しており、その厚さ方向に互いに対向する表面が溝１３２の長さ方向に沿った状態で、溝１３２の底面に対して立てられている。
【００２４】
図３は、図１に示した電源レール２００を拡大した図である。図４は、図３のＡ−Ａ断面図の一例である。電源レール２００は、棒状の絶縁部材によって構成されており、その長手方向に垂直な断面において矩形となっている。この絶縁部材は、例えば、樹脂によって形成されている。
【００２５】
電源レール２００の長手方向に延在している側面の１つには、並列に配置された溝２１２，２１４，２１６がこの長手方向に沿って形成されている。溝２１２，２１４，２１６は、電源レール２００の長手方向の一端から他端にかけて形成されている。本図に示す例では、溝２１２，２１４，２１６の両端が、電源レール２００の長手方向に対向する側面の内側に位置しているが、これらの溝の一端又は両端がこの側面を貫通していてもよい。
【００２６】
溝２１２，２１４，２１６の間隔は、電源端子１６２、接地端子１６４、及び信号端子１６６（図２）の間隔とほぼ等しいものになっている。また、溝２１２，２１４，２１６の幅は、電源端子１６２、接地端子１６４、及び信号端子１６６の厚さとそれぞれほぼ等しいものになっている。さらに溝２１２，２１４，２１６の長さは、電源端子１６２、接地端子１６４、及び信号端子１６６の幅よりもそれぞれ長いものになっている。このため、溝２１２，２１４，２１６に電源端子１６２、接地端子１６４、及び信号端子１６６をそれぞれはめ込むことができる。ただし、溝２１２，２１４，２１６と電源端子１６２、接地端子１６４、及び信号端子１６６との対応関係の順序はこれに限定されるものではない。なお、溝２１２，２１４，２１６の深さは特に限定されないが、例えば、電源端子１６２、接地端子１６４、及び信号端子１６６の高さとほぼ等しくしてもよいし、又はこの高さよりも深いものとしてもよい。
【００２７】
本図に示す例では、溝２１２，２１４，２１６の長さは、基材１１０の溝１３２（図２）の長さ方向における発光モジュールユニット１００の幅よりも長いものとなっている。この幅よりも長い範囲において溝２１２，２１４，２１６の長さを適宜調整することで、１組の溝２１２，２１４，２１６に対して、複数の発光モジュールユニット１００の電源端子１６２、接地端子１６４、及び信号端子１６６をはめ込むことができる。
【００２８】
溝２１２，２１４，２１６のそれぞれの内両側面には、導電部材２２２，２２４，２２６がそれぞれ設けられている。電源端子１６２、接地端子１６４、及び信号端子１６６は、それぞれ、溝２１２，２１４，２１６の内部において、導電部材２２２，２２４，２２６にそれぞれ挟まれる。このようにして、電源端子１６２、接地端子１６４、及び信号端子１６６が、それぞれ溝２１２，２１４，２１６に保持されるとともに、これらの溝の内部の導電部材２２２，２２４，２２６とそれぞれ電気的に接続することになる。本図に示す例では、導電部材２２２は、発光モジュールユニット１００に電源電圧を与える。導電部材２２４は、接地されている。導電部材２２６は、発光モジュールユニット１００に信号を送る。
【００２９】
本図に示す例では、導電部材２２２，２２４，２２６の各々は、各溝（溝２１２，２１４，２１６）の幅方向において互いに対向する対向部分２６２と、対向部分２６２に比して各溝の底面側で対向部分２６２を繋ぐ接続部分２６４と、を含んでいる。対向部分２６２の間には、発光モジュールユニット１００の電源端子１６２、接地端子１６４、及び信号端子１６６（図２）が差し込まれる。そして対向部分２６２は、接続部分２６４と繋がっている第１部分２６６と、第１部分２６６に比して各溝の開口側で第１部分２６６と繋がっている第２部分２６８と、を含んでいる。第１部分２６６では、対向部分２６２によって挟まれる領域の幅が各溝の底面側から各溝の開口側に向かうにつれて狭まっている。これに対して第２部分２６８では、対向部分２６２によって挟まれる領域の幅が各溝の底面側から各溝の開口側に向かうにつれて広がっている。
【００３０】
第１部分２６６から第２部分２６８にかけて対向部分２６２で挟まれる領域には、開口（開口２７０）が形成されている。開口２７０の幅は、発光モジュールユニット１００の板状の電源端子１６２、接地端子１６４、及び信号端子１６６の各々の厚さよりも狭いものとなっている。なお、開口２７０は閉じていてもよい。一方、開口２７０を介して第１部分２６６と反対側において対向部分２６２によって挟まれている領域の幅は、板状の電源端子１６２、接地端子１６４、及び信号端子１６６の各々厚さよりも広いものとなっている。
【００３１】
導電部材２２２，２２４，２２６は、ある程度の剛性を有するとともに、溝１３２の幅方向に弾性を有している。例えば、導電部材２２２，２２４，２２６は、金属により形成されている。
【００３２】
この構造においては、発光モジュールユニット１００の板状の電源端子１６２、接地端子１６４、及び信号端子１６６が、第２部分２６８の傾斜面に沿って第１部分２６６と第２部分２６８の間の開口（開口２７０）に案内される。この場合に、導電部材２２２，２２４，２２６の開口２７０の近傍の部分に上記端子の先端を介して溝１３２の底面側にある値以上の力を加える。これにより、導電部材２２２，２２４，２２６の形状が変形し、開口２７０の幅が広がる。そして上記端子の先端が開口２７０を通過して溝１３２の底部に達する。その後、導電部材２２２，２２４，２２６の弾性によって上記端子が導電部材２２２，２２４，２２６に挟まれることになる。
【００３３】
導電部材２２２，２２４，２２６は、溝２１２，２１４，２１６の長さ方向に垂直な断面において、上記のような断面形状を有している。そして導電部材２２２，２２４，２２６は、溝２１２，２１４，２１６の一端から他端にかけて、それぞれ延在している。このため、発光モジュールユニット１００の電源端子１６２、接地端子１６４、及び信号端子１６６を溝２１２，２１４，２１６の長さ方向においてこれらの溝のどの位置に差し込んでも、電源端子１６２、接地端子１６４、及び信号端子１６６は、導電部材２２２，２２４，２２６とそれぞれ電気的に接続することができる。
【００３４】
溝２１２，２１４，２１６の内部における導電部材２２２，２２４，２２６は、図１に示した電源３００と電気的に接続している。このため、発光モジュールユニット１００の電源端子１６２、接地端子１６４、及び信号端子１６６は、導電部材２２２，２２４，２２６をそれぞれ介して、電源３００と電気的に接続することになる。
【００３５】
発光モジュールユニット１００は、電源端子１６２、接地端子１６４、及び信号端子１６６（図２）が上記したように電源レール２００の溝２１２，２１４，２１６（導電部材２２２，２２４，２２６）にそれぞれ物理的に保持されることで、電源レール２００に装着される。
【００３６】
以上、本実施形態によれば、電源レール２００は、棒状の絶縁部材によって構成されている。この絶縁部材の表面には、溝２１２，２１４，２１６が形成されている。溝２１２，２１４，２１６の内両側面には、導電部材２２２，２２４，２２６がそれぞれ設けられている。発光モジュールユニット１００は、電源端子１６２、接地端子１６４、及び信号端子１６６を有している。電源端子１６２、接地端子１６４、及び信号端子１６６は、導電部材２２２，２２４，２２６にそれぞれ挟まれる。これにより、導電部材２２２，２２４，２２６は、電源端子１６２、接地端子１６４、及び信号端子１６６とそれぞれ電気的に接続することができるとともに、これらの端子を保持することができる。
【００３７】
さらに本実施形態によれば、電源レール２００の溝２１２，２１４，２１６の長さは、発光モジュールユニット１００の幅よりも長い。このため、１つの電源レール２００に複数の発光モジュールユニット１００を設けることができる。この場合、複数の発光モジュールユニット１００が電源レール２００に沿って配置される。これにより、複数の発光モジュールユニット１００を面に沿って配置することが容易になる。
【００３８】
また、隙間なく配置された発光モジュール１００は設置と同時に自動的に電源３００と導通されるために配線作業を省くことができ、各発光装置（発光モジュール１００）に容易に電力を供給することができるようになっている。
【実施例】
【００３９】
（実施例１）
図５は、実施例１に係る電源レール２００の構成を示す図である。本実施例に係る電源レール２００は、溝２１２，２１４，２１６の配置を除いて、実施形態に係る電源レール２００と同様の構成である。
【００４０】
本実施例において、電源レール２００は、その長手方向に延在した側面に、矩形の面を有している。この矩形の面には、電源レール２００の短手方向に互いに隣接する溝２１２，２１４，２１６が形成されている。溝２１２，２１４，２１６は、この矩形の面の長手方向に沿って延在しており、この矩形の面の短手方向に沿ってこの順に並んでいる。そして溝２１４と溝２１２の間の距離ａと溝２１４と溝２１６の間の距離ｂが異なっている。本図に示す例では、ａ及びｂはａ＞ｂを満たしている。
【００４１】
なお、溝２１２，２１４，２１６が形成される面の形状は矩形に限定されるものではない。また本図には、この面に形成される溝として３つの溝２１２，２１４，２１６を示しているが、これらの３つの溝に加えて、他の溝が形成されていてもよい。
【００４２】
本実施例において、発光モジュールユニット１００の電源端子１６２、接地端子１６４、及び信号端子１６６（図２）の配置は、溝２１２，２１４，２１６の配置とそれぞれほぼ一致している。このため、電源端子１６２、接地端子１６４、及び信号端子１６６は、それぞれ、溝２１２，２１４，２１６にそれぞれ差し込むことができる。これに対して電源端子１６２及び信号端子１６６を溝２１６及び溝２１２にそれぞれ差し込もうとすると、接地端子１６４の位置と溝２１４の位置が合わないことになる。このようにして本実施例では、電源端子１６２、接地端子１６４、及び信号端子１６６を意図しない溝に差し込むことを防止することができる。
【００４３】
（実施例２）
図６は、実施例２に係る電源レール２００の構成を示す図である。本実施例に係る電源レール２００は、以下の点を除いて、実施形態に係る電源レール２００と同様の構成である。
【００４４】
本実施例では、電源レール２００に溝２１６（図３）が形成されていない。電源レール２００は、その長手方向に延在した側面に、矩形の面を有している。この矩形の面には、電源レール２００の短手方向に互いに隣接する溝２１２，２１４が形成されている。溝２１２，２１４は、この矩形の面の長手方向に沿って延在しており、この矩形の面の短手方向に沿ってこの順に並んでいる。矩形の辺のうちこの短手方向に溝２１２に最も近い辺は、溝２１２と距離ｃだけ離れている。一方、矩形の辺のうちこの短手方向に溝２１４に最も近い辺は、溝２１４と距離ｄだけ離れている。そして距離ｃと距離ｄが異なっている。本図に示す例では、ｃ及びｄはｃ＞ｄを満たしている。
【００４５】
なお、溝２１２，２１４が形成される面の形状は矩形に限定されるものではない。また本図には、この面に形成される溝として２つの溝２１２，２１４を示しているが、これらの２つの溝に加えて、他の溝が形成されていてもよい。
【００４６】
また本実施例では、電源レール２００に溝２１６が形成されていないため、電源レール２００は、導電部材２２６（図４）を有しない。導電部材２２６は、発光モジュールユニット１００に信号を送るための部材であり、例えば発光モジュールユニット１００の光源１４０（図１）のオン・オフを制御する。本実施例において電源レール２００は導電部材２２６を有しないため、このような信号は、例えば電源レール２００と異なる部材から発光モジュールユニット１００に送られる。
【００４７】
本実施例において、発光モジュールユニット１００（基材１１０）の裏面（面１３０）には、溝１３２が形成されている（図２）。溝１３２は、面１３０を横断している。そして溝１３２の底面には、電源端子１６２及び接地端子１６４が設けられている。なお本実施例では、信号端子１６６は設けられていない（図２）。そして電源端子１６２及び接地端子１６４の配置は、溝２１２，２１４の配置とそれぞれほぼ一致している。
【００４８】
溝１３２は、電源端子１６２及び接地端子１６４が溝２１２，２１４にそれぞれ差し込まれた場合に、電源レール２００とほぼ合致する形状を有している。このため、電源端子１６２及び接地端子１６４は、それぞれ、溝２１２，２１４にそれぞれ差し込むことができる。これに対して、電源端子１６２及び接地端子１６４を溝２１４，２１２にそれぞれ差し込もうとしても、溝１３２が電源レール２００と合致せず、電源レール２００を覆うことができない。このため、電源端子１６２及び接地端子１６４を溝２１４，２１２に差し込むことができない。このようにして本実施例では、電源端子１６２及び接地端子１６４を意図しない溝に差し込むことを防止することができる。
【００４９】
なお、本図に示す例において溝２１２，２１４が形成された面は、溝２１２，２１４が並ぶ方向に対向している縁部がほぼ平行となっているが、この縁部の形状は、本図に示す例に限定されるものではない。例えば、この面に垂直な方向から見て、上記の縁部は、曲線であってもよいし、又は凹凸を有していてもよい。この場合においても、上記面が、溝２１２，２１４が並ぶ方向に沿った一直線上において溝２１２とこの溝２１２に隣接する縁部の間の距離と溝２１４とこの溝２１４に隣接する縁部の間の距離が異なる領域を有していれば、上記の例と同様にして電源端子１６２及び接地端子１６４を意図しない溝に差し込むことを防止することができる。
【００５０】
（実施例３）
図７（ａ）は、実施例３に係る電源レール２００の構成を示す図である。図７（ｂ）は、図７（ａ）に示す２つの電源レール２００の接続部分の拡大図である。本実施例に係る電源レール２００は、凸部２３２及び凹部２３４（接続部）が設けられている点を除いて、実施形態に係る電源レール２００と同様の構成である。なお、説明のため、図７（ｂ）には、溝２１２，２１４，２１６を示していない。
【００５１】
詳細には、電源レール２００は、棒状の形状を有している。そして電源レール２００の長手方向の一端には、複数の凸部２３２が設けられている。本図に示す例では凸部２３２は円柱状の形状を有している。ただし凸部２３２の形状はこれに限定されるものではない。一方、電源レール２００の長手方向の他端には、複数の凹部２３４が設けられている。一の電源レール２００の凸部２３２は、他の電源レール２００の凹部２３４差し込まれる。これにより、複数の電源レール２００を繋ぐことができる。なお、凸部２３２の数及び凹部２３４の数は、複数に限定されるものではなく、１つのみであってもよい。
【００５２】
凸部２３２の表面には導電膜（例えば、金属膜）が形成されている。ただし、凸部２３２の全体が導電部材（例えば、金属）により形成されていてもよい。一方、凹部２３４の内壁には導電膜（例えば、金属膜）が形成されている。このため、凸部２３２が凹部２３４に差し込まれると、凸部２３２及び凹部２３４は電気的に互いに接続することになる。
【００５３】
電源レール２００の長手方向に延在した側面には、溝２１２，２１４，２１６が設けられている。溝２１２，２１４，２１６はこの側面の長手方向に沿って延在しており、この側面の短手方向に沿ってこの順に並んでいる。溝２１２，２１４，２１６の内部には、導電部材２２２，２２４，２２６（図４）がそれぞれ設けられている。導電部材２２２，２２４，２２６は、配線（不図示）を介して複数の凸部２３２とそれぞれ電気的に接続しているとともに、配線（不図示）を介して複数の凹部２３４とそれぞれ電気的に接続している。このため、１の電源レール２００の導電部材２２２，２２４，２２６が、凸部２３２及び凹部２３４を介して、他の電源レール２００の導電部材２２２，２２４，２２６とそれぞれ電気的に接続されることになる。
【００５４】
以上、本実施例によれば、凸部２３２及び凹部２３４を介して複数の電源レール２００を繋ぐことができるとともに、電気的に接続することができる。
【００５５】
（実施例４）
図８（ａ）は、実施例４に係る電源レール２００の構成を示す図である。図８（ｂ）は、図８（ａ）に示す２つの電源レール２００の接続部分の拡大図である。本実施例に係る電源レール２００は、以下の点を除いて、実施例３に係る電源レール２００と同様の構成である。なお、説明のため、図８（ｂ）には、溝２１２，２１４，２１６を示していない。また本図は、実施例３の図７に対応する。
【００５６】
電源レール２００は棒状の形状を有している。電源レール２００の長手方向に延在した側面には、溝２１２，２１４，２１６が設けられている。溝２１２，２１４，２１６は、この側面の長手方向に延在し、この側面を横断している。すなわち、溝２１２，２１４，２１６は、この側面の縁部のうち電源レール２００の長手方向に対向する部分を貫通している。
【００５７】
電源レール２００の長手方向の一端には、複数の凸部２３２が設けられている。一方、電源レール２００の長手方向の他端には、複数の凹部２３４が設けられている。一の電源レール２００の凸部２３２は、他の電源レール２００の凹部２３４に差し込まれる。ただし、凸部２３２の数及び凹部２３４の数は、複数に限定されるものではなく、１つのみであってもよい。
【００５８】
一の電源レール２００及び他の電源レール２００において、溝２１２，２１４，２１６の配置間隔がほぼ一致している。さらに、一の電源レール２００の凸部２３２に対する一の電源レール２００の溝２１２，２１４，２１６の相対的位置が、溝２１２，２１４，２１６の深さ方向及び幅方向において、他の電源レール２００の凹部２３４に対する他の電源レール２００の溝２１２，２１４，２１６の相対的位置とほぼ一致している。このため、一の電源レール２００の凸部２３２を他の電源レール２００の凹部２３４に差し込むと、一の電源レール２００における溝２１２，２１４，２１６が、他の電源レール２００における溝２１２，２１４，２１６と、それぞれ、繋がるとともにほぼ一直線上に位置することになる。これにより、複数の電源レール２００によって１つの電源レール２００よりも長い溝（溝２１２，２１４，２１６）を形成することができる。
【００５９】
（実施例５）
図９は、実施例５に係る電源レール２００の構成を示す図であり、実施形態の図３に対応する。本実施例は、複数の部材５００が設けられている点を除いて、実施形態と同様である。
【００６０】
本実施例では、凹凸を有さず滑らかな面（例えば、壁面又は天井）に棒状の同一形状の複数の部材５００が設けられている。棒状のこれらの部材５００は、その長手方向が上記の面にほぼ沿っている。なお、部材５００の形状は棒状に限定されるものではなく、例えば、矩形の板状であってもよい。この場合、板状の部材５００は、例えばその厚さ方向に上記の面と対向する。また複数の部材５００の形状は互いに異なっていてもよい。
【００６１】
上記の面では、２つの棒状の部材５００が、同じ方向に長手方向を有し、この方向に沿って間隙を介してほぼ一直線上に並んでいる。このようにして２つの棒状の部材５００が１つのセットを構成している。そしてこれら２つの部材５００の間の間隙は、溝２１２，２１４，２１６が設けられた面から見た場合の電源レール２００の短手方向の幅とほぼ一致している。このため、上記のセットにおける２つの部材５００によって、電源レール２００を挟むことができる。この場合、このセットの配置にしたがって電源レール２００の位置合わせを行うことができる。
【００６２】
本図に示す例では、上記の面に、部材５００の上記のセットが２つ設けられている。これらの２つのセットは、部材５００の短手方向に沿って間隙を介してほぼ一直線上に並んでいる。２つのセットによって、電源レール２００を安定的に位置合わせすることができる。ただしこのセットの数は２つに限定されるものではなく、３つ以上のセットが部材５００の短手方向に沿って間隙を介してほぼ一直線上に繰り返し並べられていてもよい。
【００６３】
なお、部材５００は、電源レール２００に取り付けられていてもよい。この場合、複数の電源レール２００を適当な面（例えば、壁面又は天井）に設置する場合、部材５００に基づいて電源レール２００の短手方向の位置合わせを自動的に行うことができる。
【００６４】
（実施例６）
図１０は、実施例６に係る発光装置１０の構成を示す図である。本実施例は、以下の点を除いて、実施例５と同様である。なお、本図には、説明のため光源１４０（図１）を示していない。
【００６５】
本実施例では、２つの同一形状の棒状の部材５００が、同じ方向に長手方向を有し、この方向に沿って間隙を介してほぼ一直線上に並んでいる。このようにして２つの棒状の部材５００が１つのセットを構成している。そして凹凸を有さず滑らかな面（例えば、壁面又は天井）に複数の上記セットがマトリクス状に配置されている。
【００６６】
詳細には、複数の上記のセットが部材５００の長手方向に沿ってほぼ一直線上に繰り返し並べられている。そして互いに隣接するセットにおいて、一方のセットの２つの部材５００のうち他方のセットに隣接する部材５００は、上記他方のセットの２つの部材５００のうち上記一方のセットに隣接する部材５００と間隙を介さず接している。この場合、各セットにおける２つの部材５００の間の間隙が、部材５００の長手方向に沿ってほぼ等間隔に配置されることになる。このため、この間隙にしたがって複数の電源レール２００をほぼ等間隔にほぼ平行に配置することができる。なお、互いに隣接するセットにおいて、一方のセットの２つの部材５００のうち他方のセットに隣接する部材５００は、上記他方のセットの２つの部材５００のうち上記一方のセットに隣接する部材５００と繋がっていてもよい。
【００６７】
本図に示す例では、上記の面に、２つの上記セットが、部材５００の短手方向に沿って間隙を介してほぼ一直線上に並んでいる。２つのセットによって、電源レール２００を安定的に位置合わせすることができる。なお、３つ以上のセットが部材５００の短手方向に沿って間隙を介してほぼ一直線上に繰り返し並べられていてもよい。
【００６８】
上記の面には、ほぼ同一形状の複数の発光モジュールユニット１００（基材１１０）が設けられる。各基材１１０は、矩形の板状の形状を有している。各基材１１０の裏面（面１３０）には、溝１３２が形成されている。溝１３２は、矩形の面１３０の辺に沿って面１３０のほぼ中心を通過しつつ面１３０を横断している。発光モジュールユニット１００は溝１３２が電源レール２００を覆った状態で電源レール２００に装着されている。
【００６９】
棒状の部材５００の長さの２倍と電源レール２００の短手方向の幅の和は、溝１３２の幅方向における発光モジュールユニット１００の幅とほぼ等しくなっている。この場合、複数の発光モジュールユニット１００を電源レール２００の短手方向に沿って同一直線上に並べると、発光モジュールユニット１００はこの方向にほぼ隙間なく並ぶことになる。
【００７０】
なお、部材５００は、電源レール２００に取り付けられていてもよい。この場合、複数の電源レール２００を適当な面（例えば、壁面又は天井）に設置する場合、部材５００に基づいて電源レール２００の短手方向の位置合わせを自動的に行うことができる。
【００７１】
（実施例７）
図１１は、実施例７に係る電源レール２００の構成を示す図であり、実施形態の図３に対応する。本実施例に係る電源レール２００は、溝２４０が設けられている点を除いて、実施形態に係る電源レール２００と同様の構成である。
【００７２】
詳細には、電源レール２００は、棒状の形状を有しており、その長手方向に垂直な断面において矩形の形状を有している。そして電源レール２００の長手方向に延在する側面の１つ（第１側面）には、溝２１２，２１４，２１６が形成されている。溝２１２，２１４，２１６は、電源レール２００の長手方向に延在している。
【００７３】
電源レール２００の長手方向から見て電源レール２００の残りの３つの側面のうち第１側面に繋がる２つの側面（第２側面）の少なくとも一方には、溝２４０が形成されている。溝２４０は、電源レール２００の短手方向に延在している。そして溝２４０の一端は、第２側面の第１側面と接する縁部を貫通している。このため、第１側面に垂直な方向から見て、第１側面の縁部には、溝２４０により形成された凹部が形成されることになる。本図に示す例では、この凹部は半円状の形状となっている。ただし、この凹部の形状は、これに限定されるものではない。なお溝２４０の他端は、第２側面の縁部を貫通していてもよいし、貫通していなくてもよい。
【００７４】
なお、本図に示す例では、２つの第２側面のうち一方にのみ溝２４０が形成されているが、溝２４０が形成される領域はこれに限定されるものではない。例えば、溝２４０は、２つの第２側面のいずれにも設けられていてもよい。
【００７５】
本図に示す例では、複数の溝２４０が電源レール２００の長手方向に沿って互いに離間して設けられている。ただし溝２４０の数は複数に限定されるものではなく、１つのみであってもよい。
【００７６】
図１２は、本実施例に係る発光モジュールユニット１００の構成を示す図であり、実施形態の図２に対応する。本実施例に係る発光モジュールユニット１００は、凸部１７０が設けられている点を除いて、実施形態に係る発光モジュールユニット１００と同様の構成である。
【００７７】
詳細には、矩形の板状の発光モジュールユニット１００（基材１１０）の裏面（面１３０）には、溝１３２が形成されている。溝１３２は、矩形の面１３０の辺に沿って面１３０を横断している。
【００７８】
溝１３２の底面には、電源端子１６２、接地端子１６４、及び信号端子１６６が設けられている。これらの端子は、板状（本図に示す例では、矩形の板状）の形状を有しており、その厚さ方向に互いに対向する表面が溝１３２の長さ方向に沿った状態で、溝１３２の底面に対して立てられている。
【００７９】
溝１３２の底面には、凸部１７０が形成されている。凸部１７０は、溝１３２の底面に垂直な方向から見て、溝１３２の幅方向において、溝１３２の側面と端子１６０（電源端子１６２、接地端子１６４、及び信号端子１６６）の間に位置している。
【００８０】
凸部１７０の側面のうち溝１３２の幅方向に端子１６０と対向する部分の形状は、電源レール２００の溝２４０（図１１）とほぼ一致している。このため、凸部１７０を溝２４０にはめ込むことができる。本図に示す例では、凸部１７０のこの側面は円弧状となっている。ただし、凸部１７０のこの側面の形状はこれに限定されるものではない。
【００８１】
本図に示す例では、複数の凸部１７０が溝１３２の長さ方向に沿って互いに離間して設けられている。これらの凸部１７０の配置間隔は、電源レール２００の複数の溝２４０（図１１）の配置間隔とほぼ一致している。このため、複数の凸部１７０をそれぞれ複数の溝２４０にはめ込むことができる。
【００８２】
なお本図に示す例では、凸部１７０は、溝１３２の幅方向に凸部１７０を介して端子１６０と反対側の側面が溝１３２の側面と繋がっている。このため本図に示す例では、溝１３２の底面に垂直な方向から見て、凸部１７０は半円状となっている。ただし、凸部１７０のこの側面は溝１３２の側面と繋がっていなくてもよい。
【００８３】
以上、本実施例によれば、発光モジュールユニット１００は、凸部１７０を有している。電源レール２００は、溝２４０を有している。凸部１７０は溝２４０にはめ込むことができる。このため、凸部１７０を溝２４０にはめ込んで、電源レール２００の位置合わせを行うことができる。これにより、電源レール２００を所望の位置に確実に設けることができるようになる。
【００８４】
さらに本実施例では、電源端子１６２、接地端子１６４、及び信号端子１６６が溝２１２，２１４，２１６にそれぞれ差し込まれる場合に凸部１７０が溝２４０にはめ込まれる。すなわち、電源端子１６２及び信号端子１６６を溝２１６，２１２にそれぞれ差し込もうとしても、凸部１７０が電源レール２００の側面に引っかかるため、電源端子１６２及び信号端子１６６を溝２１６，２１２にそれぞれ差し込むことができない。これにより、電源端子１６２、接地端子１６４、及び信号端子１６６を意図しない溝に差し込むことを防止することができる。
【００８５】
なお、本図に示す例では、発光モジュールユニット１００が凸部１７０を有し、電源レール２００が溝２４０を有している。このため、発光モジュールユニット１００の凸部１７０が凸部として機能し、電源レール２００の溝２４０が凹部として機能し、この凸部が凹部にはめ込まれている。ただし、この凸部と凹部の配置は逆でもよい。すなわちこの場合、発光モジュールユニット１００が溝２４０に相当する凹部を有し、電源レール２００が凸部１７０に相当する凸部を有することになる。
【００８６】
（参考例）
図１３は、参考例に係る電源レール２００を示す図であり、実施形態の図３に対応する。本参考例に係る電源レール２００は、以下の点を除いて、実施形態に係る電源レール２００と同様の構成である。本参考例に係る電源レール２００は、棒状の部材２５２、長尺状の部材２５４、及び導電部材２２２，２２４，２２６を有している。
【００８７】
棒状の部材２５２は、その長手方向に垂直な断面において矩形状となっている。ただし、部材２５２のこの断面における形状は矩形に限定されるものではなく、他の形状であってもよい。
【００８８】
長尺状の部材２５４は、部材２５２の長手方向に延在する側面の１つに取り付けられている。この場合において部材２５４は、棒状の部材２５２と同じ方向に長手方向を有している。部材２５４の幅は、部材２５２の短手方向の幅よりも広いものとなっている。本図に示す例において、部材２５２と部材２５４の長さは等しい。ただし、部材２５２と部材２５４の長さは異なっていてもよい。
【００８９】
部材２５４は、部材２５２と反対側の面が凹凸を有さず滑らかなものとなっている。そしてこの面には、長尺状の導電部材２２２，２２４，２２６が形成されている。導電部材２２２，２２４，２２６は、長尺状の部材２５４の長手方向に延在しており、部材２５４の短手方向に沿ってこの順で並んでいる。なお導電部材２２２，２２４，２２６は、例えば金属により形成されている。
【００９０】
図１４は、本参考例において発光モジュールユニット１００を電源レール２００に装着する方法を説明するための図である。図１５は、図１４に示した溝１３２の近傍の領域の拡大図である。本参考例に係る発光モジュールユニット１００は、以下の点を除いて、実施形態に係る発光モジュールユニット１００と同様の構成である。
【００９１】
板状の発光モジュールユニット１００（基材１１０）の裏面（面１３０）には、溝１３２が形成されている。溝１３２は、矩形の面１３０の辺に沿って面１３０を横断している。
【００９２】
溝１３２の底面では、電源端子１６２、接地端子１６４、及び信号端子１６６が溝１３２の幅方向にこの順で並んでいる。これらの端子の配置間隔は、電源レール２００の導電部材２２２，２２４，２２６の配置間隔とほぼ一致している。電源端子１６２、接地端子１６４、及び信号端子１６６は、溝１３２の長さ方向において、例えば、溝１３２のおおよそ中央に位置している。電源端子１６２、接地端子１６４、及び信号端子１６６は、板状の形状を有しており、その厚さ方向に溝１３２の底面と対向している。ただしこれらの端子の形状は板状に限定されるものではない。なお、電源端子１６２、接地端子１６４、及び信号端子１６６は、溝１３２の底面から溝１３２の開口に向かってこれらの端子を付勢する付勢部材（例えば、バネ）を介して溝１３２の底面に接続していてもよい。
【００９３】
溝１３２の内両側面には、凸部１８０が形成されている。凸部１８０は、溝１３２の深さ方向において、端子１６０（電源端子１６２、接地端子１６４、及び信号端子１６６）と溝１３２の開口の間に位置している。本図に示す例では、凸部１８０は、溝１３２の開口に隣接している。
【００９４】
溝１３２の深さ方向から見て、凸部１８０は、溝１３２の側面に沿って、溝１３２の長さ方向に延在している。そして溝１３２の長さ方向における凸部１８０の両端は、溝１３２の両端に達している。ただし、凸部１８０が形成される範囲はこれに限定されるものではない。例えば、凸部１８０は、溝１３２の深さ方向から見て、溝１３２の長さ方向に沿って、端子１６０が設けられている領域及びその周辺領域のみに形成されていてもよい。
【００９５】
凸部１８０は、溝１３２の底面と対向する側面（第１側面１８２）が溝１３２の深さ方向と角度αに交わっている。さらに凸部１８０は、溝１３２の深さ方向に第１側面１８２と対向する側面（第２側面１８４）が溝１３２の底面側に傾いている。これにより、第２側面１８４は、溝１３２の深さ方向と角度β（鈍角）に交わっている。そして角度α，βは、α＜βを満たしている。
【００９６】
本図に示す例では、第１側面１８２は、溝１３２の底面とほぼ平行になっている。これにより、角度αはほぼ９０度となっている。ただし、角度αはこれに限定されるものではない。そして第１側面１８２は、電源レール２００の長尺状の部材２５４の厚さとほぼ等しい距離だけ溝１３２の深さ方向に端子１６０（電源端子１６２、接地端子１６４、及び信号端子１６６）から離れている。これにより、部材２５４が溝１３２に差し込まれた場合に部材２５４を凸部１８０と端子１６０（溝１３２の底面）の間にはめ込むことができる。
【００９７】
本図に示す例では、第２側面１８４は、溝１３２の長さ方向から見て、第１側面１８２と鋭角に交わっている。ただし、第２側面１８４は、例えば、溝１３２の深さ方向に平行な面を介して第１側面１８２と繋がっていてもよい。
【００９８】
第２側面１８４によって溝１３２の幅方向に挟まれている領域には、溝１３２の底面に向かうにしたがって幅が狭くなる開口（開口１３４）が形成されている。開口１３４のうち溝１３２の底面から最も離れている部分の幅は、電源レール２００の長尺状の部材２５４の幅よりも広いものとなっている。一方、開口１３４のうち溝１３２の底面から最も近い部分の幅は、部材２５４の幅よりも僅かだけ狭いものとなっている。開口１３４の底部の近傍の部材は、ある程度の剛性を有するとともに溝１３２の深さ方向に弾性を有している。
【００９９】
この構造においては、電源レール２００の長尺状の部材２５４が開口１３４の傾斜面（第２側面１８４）に沿って開口１３４の底部に案内される。そして部材２５４が開口１３４の底部に達した場合、ある値以上の力を、部材２５４を介して開口１３４の底部の近傍の部材に加える。これにより、開口１３４の底部の近傍の部材の形状が変形して、開口１３４の底部の幅が部材２５４の幅よりも広がる。このため、部材２５４が開口１３４の底部を通過することができる。これにより、部材２５４を凸部１８０と溝１３２の底面の間の間隙に差し込むことができる。そして部材２５４がこの間隙に差し込まれた場合、開口１３４の底部の近傍の部材の形状がその弾性により元に戻る。これにより、部材２５４が凸部１８０と溝１３２の底面の間の間隙から離脱することが防止される。
【０１００】
溝１３２の長さ方向から見た場合の開口１３４の底部の中心に対する電源端子１６２、接地端子１６４、及び信号端子１６６の溝１３２の幅方向における相対的位置は、部材２５４の長手方向から見た場合の部材２５４の中心に対する導電部材２２２，２２４，２２６の部材２５４の幅方向における相対的位置と、ほぼ一致している。これにより、部材２５４が凸部１８０と溝１３２の底面の間の間隙に差し込まれた場合、電源端子１６２、接地端子１６４、及び信号端子１６６が導電部材２２２，２２４，２２６とそれぞれ対向することができる。
【０１０１】
次に、発光モジュールユニット１００を電源レール２００に装着する方法について説明する。まず、図１４（ａ）に示すように、電源レール２００上において発光モジュールユニット１００の位置合わせを行う。これにより、発光モジュールユニット１００の裏面（面１３０）の溝１３２が電源レール２００の長尺状の部材２５４を覆う領域に位置する。この場合、溝１３２の底面の電源端子１６２、接地端子１６４、及び信号端子１６６が、部材２５４の導電部材２２２，２２４，２２６とそれぞれ対向する。
【０１０２】
次に、発光モジュールユニット１００を電源レール２００に向けて移動させる。これにより、電源レール２００の長尺状の部材２５４が溝１３２の開口（開口１３４）の傾斜面（第２側面１８４）に沿って開口１３４の底部に案内される。
【０１０３】
次に、ある値以上の力を、部材２５４を介して開口１３４の底部の近傍の部材に加える。これにより、開口１３４の底部の近傍の部材の形状が変形する。そして開口１３４の底部の近傍の部材の形状が変形して、開口１３４の底部の幅が部材２５４の幅よりも広がる。このため、部材２５４が開口１３４の底部を通過することができる。
【０１０４】
このようにして図１４（ｂ）に示すように、部材２５４が凸部１８０と溝１３２の底面の間の間隙に差し込まれる。そして部材２５４がこの間隙に差し込まれた場合、開口１３４の底部の近傍の部材の形状がその弾性により元に戻る。このようにして、発光モジュールユニット１００が電源レール２００に装着される。
【０１０５】
以上、本参考例によれば、発光モジュールユニット１００（基材１１０）の裏面には、溝１３２が形成されている、溝１３２の内両側面には、凸部１８０が形成されている。溝１３２の底面には、電源端子１６２、接地端子１６４、及び信号端子１６６が設けられている。電源レール２００は、長尺状の部材２５４を有している。部材２５４には、導電部材２２２，２２４，２２６が設けられている。部材２５４は、凸部１８０と溝１３２の底面の間の間隙に差し込まれる。この場合、電源端子１６２、接地端子１６４、及び信号端子１６６が導電部材２２２，２２４，２２６とそれぞれ接続する。このようにして、発光モジュールユニット１００を電源レール２００に装着している。
【０１０６】
以上、図面を参照して実施形態及び実施例について述べたが、これらは本発明の例示であり、上記以外の様々な構成を採用することもできる。
【符号の説明】
【０１０７】
１０ 発光装置
１００ 発光モジュールユニット
１１０ 基材
１２０ 面
１３０ 面
１３２ 溝
１３４ 開口
１４０ 光源
１６０ 端子
１６２ 電源端子
１６４ 接地端子
１６６ 信号端子
１７０ 凸部
１８０ 凸部
１８２ 第１側面
１８４ 第２側面
２００ 電源レール
２１２ 溝
２１４ 溝
２１６ 溝
２２２ 導電部材
２２４ 導電部材
２２６ 導電部材
２３２ 凸部
２３４ 凹部
２４０ 溝
２５２ 部材
２５４ 部材
２６２ 対向部分
２６４ 接続部分
２６６ 第１部分
２６８ 第２部分
２７０ 開口
３００ 電源
４００ 配線
５００ 部材
【図１】
2015173084.tif 000003
【図２】
2015173084.tif 000004
【図３】
2015173084.tif 000005
【図４】
2015173084.tif 000006
【図５】
2015173084.tif 000007
【図６】
2015173084.tif 000008
【図７】
2015173084.tif 000009
【図８】
2015173084.tif 000010
【図９】
2015173084.tif 000011
【図１０】
2015173084.tif 000012
【図１１】
2015173084.tif 000013
【図１２】
2015173084.tif 000014
【図１３】
2015173084.tif 000015
【図１４】
2015173084.tif 000016
【図１５】
2015173084.tif 000017